(57)【要約】特定の範囲内の半径を有する環状の反射面５により、ユーザは、一方の目の拡大された像を他方の目を使用して見ることができる。目の像は側方から見られ、これにより、コンタクトレンズ又はその他の装置は、視界を妨げることなく、見られている目に向かって提供されることができる。見られている目を強調しかつ見ている目が他方の目に焦点が合うのを助けるために、照明装置２が設けられている。ユーザが目を環状の反射面から正しい距離に配置するのを助けるために、ヘッドレストサポート９が設けられている。
2005525591.tif 000002
【特許請求の範囲】
【請求項１】
半径方向にずらされた位置から見られたときに、ここで一方の目と定義するユーザのどちらかの目のオンアクシスビューを提供するために使用するのに適した環状の反射面エレメントを含み、いかなる光妨害手段によっても覆われることなく、前記半径方向にずらされた位置において目に見える情報が、オンアクシス位置で前記一方の目又は他方の目に示されるようになっていることを特徴とする光学装置。
【請求項２】
半径方向にずらされた位置から見られたときに、ここで一方の目と定義するユーザのどちらかの目のオンアクシスビューを提供するための装置を使用する場合に、環状の反射面エレメントを含み、いかなる光妨害手段によっても覆われることなく、前記半径方向にずらされた位置における目に見える情報が、オンアクシス位置で前記一方の目又はどちらかの目に示されるようになっていることを特徴とする光学装置。
【請求項３】
前記半径方向にずらされた位置が、ユーザの他方の目の位置であることを特徴とする請求項１又は２記載の光学装置。
【請求項４】
前記反射面の最大曲率の平均半径が７０ｍｍ〜１２０ｍｍであることを特徴とする請求項１から３のいずれか一項記載の光学装置。
【請求項５】
前記反射面の最大曲率の平均半径が１３０ｍｍ〜１８０ｍｍであることを特徴とする請求項１から４のいずれか一項記載の光学装置。
【請求項６】
最大曲率の平均半径が９０ｍｍ〜１１０ｍｍであることを特徴とする請求項１から３のいずれか一項記載の光学装置。
【請求項７】
最小曲率の半径が１５０ｍｍ〜１７０ｍｍであり、前記軸となる目から目までの半径方向間隔が５０ｍｍ〜７０ｍｍであることを特徴とする請求項１から３又は６記載の光学装置。
【請求項８】
１つ又は２つ以上の光源を有していることを特徴とする請求項１から７のいずれか一項記載の光学装置。
【請求項９】
実質的に説明されかつ添付の図面に例示された請求項１又は２記載の光学装置。
【発明の詳細な説明】
【技術分野】
【０００１】
本発明は、凹面からの対象物の集束された及び垂直方向に反射されたイメージを、使用者の一方の目に、半径方向にずらされた位置から反射するように、特に、垂直に反射された目の光学系を反対側の目に反射するように構成された光学的イメージングエレメントに関する。
【背景技術】
【０００２】
簡単にするために以下の説明は専ら男性代名詞を使用するが、これは等しく女性としても読むことができる。
【０００３】
多くの人々は美観のため及び様々なスポーツ活動のためにコンタクトレンズを装着する。しかしながら、多くのユーザ（及び多くの眼鏡装着者）は、平面的な鏡を使用してコンタクトレンズを装着及び着脱することが困難であると感じている。コンタクトレンズを持つ指など、いかなるものが一方の目の瞳孔の前に位置していると、鏡及び拡大鏡（利用可能な場合）は実質的に両方の目にとって役に立たない。
【発明の開示】
【発明が解決しようとする課題】
【０００４】
対象物を拡大することができかつ対象物を直角を含む様々な角度でオフアクシスに反射することができる凹面反射エレメントが必要とされており、これにより、イメージが、前記一方の目の軸と交差する反射面の軸点から等距離で焦点が合って見られることができ、これにより問題が軽減される。本発明の課題はこのような反射エレメントを提供することである。より具体的には、課題は、コンタクトレンズを持つ指が視界を妨げることなくコンタクトレンズを角膜に挿入する又は角膜から除去するプロセスの最中に目の邪魔された領域をユーザが見ることを助けるためのこのような手段を提供することである。さらに具体的には、課題は、使用者が、目を反射面に極めて近づけることができ、これにより、ユーザが、コンタクトレンズの操作のために必要な空間を反射面が妨害することなく極めて拡大された他方の目を見ることができかつこの他方の目へのコンタクトレンズの操作を行うことを可能にするためのこのような手段を提供することである。
【課題を解決するための手段】
【０００５】
本明細書中では、一方の目とは使用者がコンタクトレンズを挿入又は除去しようとする目である「意図された目」を指し、他方の目とは「見ている目」を指す。
【０００６】
本発明は、人の意図された目の角膜にコンタクトレンズを装着しかつ除去するための視覚的補助として働くために、一方の意図された目のフォーカスされたクローズアップを見るほうの目によって見るために、意図された目の光学系のイメージを適切な広角と、適切な倍率と、鏡からの適切な距離で見るために、特定の性質の拡大鏡が特性の形式で使用されることができるという発見から出発している。
【０００７】
制限範囲光学イメージングエレメントは、概して環状の面の実質的に一部である反射面を有している。反射面は焦点を有していないので、イメージ反射範囲が制限されている。意図された目のイメージは半径方向にずらされた位置から反射され、オンアクシスビューでユーザの見ている目に映される。イメージが反射面におけるあらゆる軸点から焦点が合って反射されるために、２つのクロスアクシス湾曲の全ての部分が互いに直角に位置するように、反射面は実質的に環状の面の部分でなければならない。反射面は、２つのクロスアクシス半径を注意深く選択することによって規定される。クロスアクシス半径は、見ている目に対してオフアクシスに反射された、意図された目のイメージを形成するために互いに対応しており、最大曲率の平均半径が７０ｍｍ〜１２０ｍｍであり、最小曲率の平均半径が１３０ｍｍ〜１８０ｍｍである。半径の範囲から選択されている。
【０００８】
反射面は、固体構造であり、クロスアクシス半径は、したがって、組み立ての前に予め選択されなければならない。使用時には、反射面は、最小曲率軸線がユーザの目に対して水平位置に位置しながらユーザの目の前方に保持される。好適な最小曲率半径は１５５ｍｍであり、好適な最大曲率半径は９５ｍｍである。最小曲率半径の範囲は、鏡が目から離れて保持されることができ、ユーザが依然として目を焦点が合って見ることができることを提案する。しかしながら、上の半径の範囲からどの半径の組み合わせが選択されるかにかかわらず、これはそうではなく、鏡が目から最も離れて保持されることができかつ依然としてイメージを焦点が合って見ることができる距離は、約８０ｍｍである。鏡を目から僅かに離すために、最大曲率半径が増大され、最小曲率半径が対応して減じられる。これは、鏡を目から直線において離し、鏡を両方の目の間でオフアクシス角度と整合させて保つ。説明された形式で目から鏡を離すことは、大きな顔の特徴を備える人により適している。しかしながら、説明された形式で目から鏡を離す場合、コンタクトレンズを持つ指が意図された目の瞳孔の近くでかつ前方に保持されている場合に意図された目の邪魔された領域を見ることがより困難になる。同様に、見ている目によって見られるように、意図された目の倍率を拡大するために、最大曲率半径が減じられ、最小曲率半径が対応して増大される。しかしながら、説明された形式で鏡が目に向かって近づけられると、様々な位置から意図した目を見るためにユーザが頭を動かすことがより困難に成る。したがって、見ている目によって見られるように、意図された目の最適なフォーカスと、見ている目によって意図された目を見る最適なクローズアップビューは、最大曲率の平均半径が９０ｍｍ〜１１０ｍｍでありかつ最小曲率の平均半径が１５０ｍｍ〜１７０ｍｍでありかつ最大曲率半径と最小曲率半径との差が５０ｍｍ〜７０ｍｍである場合に、両方の目の間の軸点の目と目の半径方向間隔のために、最もよく提供される。鏡は、最小曲率がユーザの目に対して水平位置に固定されながら取り付けられることができる。本発明の特徴は、ユーザが目を鏡に近付けると、次いで頭を僅かに片側へ回転させて一方の目（すなわち見ている目）を鏡の前方に配置し、見ている目の位置を鏡に対して適切に調整することによって、使用者は、見ている目で、意図された目の焦点の合ったオフアクシスの拡大された像を見る；その視覚的方向は、側方に面して見られる。これにより、コンタクトレンズを持つ指が意図された目の瞳孔の近く及び前方に保持されながら、ユーザは指と意図された目との間を見ることができる。これは、鏡が見ている目を被覆し、意図された目のオフアクシスのクローズアップを反射するからである。目は、鏡のかなり近くの位置に配置されることができ、これにより、コンタクトレンズの操作のために必要とされる空間を妨害することなく、意図された目の精密に詳細な拡大された像を見ることができる。ユーザのためのこの独特な利点は、実質的に上に概説したような曲率半径の特定の範囲を利用する、環状の反射凹面のみを用いて得られる。
【０００９】
装置が所定の形式で使用される場合、鏡は、見ている目によって見られる意図された目のオフアクシスの像を、半透明の像として反射し、この半透明の像は、意図された目の網膜に衝突する入射光の量及び方向によって強度が変化する。しかしながら、意図された目の網膜に衝突する利用可能な光の変化及び方向により、意図された目は、前方及び鏡を越えて見ることができ、鏡は、見ている目によって見られる意図された目の像を、半透明の像として反射し、これにより、低い周囲光条件において装置を使用することを困難にしている。本発明の好適な特徴は、装置のそれぞれの側の所定の位置に発光ダイオードが配置されており、これにより、装置が所定の形式で使用される場合、それぞれの光が、それぞれの意図された目の視覚方向に対して正確な角度で交互に輝く。これにより、意図された目の視野を妨害しながら、同時に見ている目が意図された目の（半透明の像に対抗する）本当の像を見ることを可能にする、という効果を生ぜしめる。光の位置は、意図された目の瞳孔を広げると共に、意図された目の混乱する影及びまぶしさを排除するという点において重要である。
【００１０】
例えば装置において使用された場合、添付の図面を参照して本発明がここで更に詳しく説明される。
【発明を実施するための最良の形態】
【００１１】
ここに示された本発明の例示的な実施形態は、２つのＬＥＤライト２と２つの光スイッチ３とを含む、幅が約１５０ｍｍで深さが約１８ｍｍである、浅い長方形の箱形の構造体１を含んでいる。箱１の中央には、装置が閉鎖位置を占めている場合に鏡５を収容するキャビティ４が設けられている。鏡５は、箱１の上方に懸吊されておりかつ、ばね負荷されたヒンジ（図示せず）によって蓋６の内部上側に取り付けられており、ヒンジは、鏡が閉鎖する前に蓋６内に押し込まれることを可能にし、開放される場合に鏡が再び水平に跳ね上がることを可能にしている。矢印７は、蓋６が閉鎖される前にばね負荷に抗して鏡５が下方に旋回する方向を示している。蓋６は２つのばね負荷されたヒンジ８を有しており、そのうち一方（図示せず）は鏡５を水平位置に保持し、他方は蓋６を直立位置に保持する。蓋はパッド９をも有しており、このパッドに使用者の額が当て付けられる。パッドは、使用者の頭を鏡から正しい焦点合わせ距離に配置する。
【００１２】
図３は、（この実施形態において使用されるような）環状の鏡５のみを示している。鏡は、最大曲率半径１０が７０ｍｍ〜１２０ｍｍであり、最小曲率半径１１が１３０ｍｍ〜１８０ｍｍであるような半径の範囲を有している。
【００１３】
操作時には、装置は壁に懸架されるか又は水平面において使用されることができる。１つの光が照明されながら、ユーザは額をパッド９に当て付ける。ＬＥＤから発射された拡散された光は、主に意図された目の領域においてユーザの目において集束する。見ている目は、両目の間の中間における反射面における点から反射された意図された目の照明された像に集束する傾向がある。この反射角度は、見ている目を僅かに意図された目の方向に回転させる。これは、意図された目の視覚的方向が見ている目によって見られることができる角度を決定する。さらに、意図された目の光学系の視覚的方向が、反射面の境界の外側に面していることも決定される。鏡は、上述の曲率を有効に維持する鏡のような面を形成するあらゆる固体材料から形成されることができる。装置は、人に関して便利に運搬されるのに十分に小さくかつ軽く形成されることができる。通常の又は充電可能な電池が、内部電源として使用されてよく、また、箱コンパートメント（図２の１２）のそれぞれの側におけるコンパートメントに貯蔵されてよい。
【図面の簡単な説明】
【００１４】
【図１】本発明による装置の斜視図であり、装置は開放した使用可能な位置を占めている。
【図２】図１の装置の斜視図であり、装置は閉鎖した位置を占めている（鏡装置は内側に折り畳まれている）。
【図３】図１及び図２の装置における使用時に次元的に表示された環状の鏡の斜視図である。
【図１】
2005525591.tif 000003
【図２】
2005525591.tif 000004
【図３】
2005525591.tif 000005
【国際調査報告】
2005525591.tif 000006
2005525591.tif 000007
2005525591.tif 000008